(57)【要約】【課題】ステープル引抜き工具において、容易にステープルを引抜くことである。【解決手段】金梃子状のステープル引抜き工具１０は、つかみ部１２、当て部１４及び先端部１６を含んで構成される。つかみ部１２は、梃子の力点としての機能を有し、当て部１４は、支点としての機能を有し、先端部１６は、作用点としての機能を有する。ステープル引抜き工具１０の当て部１４には、ステープル引抜き工具１０を安定して支持するために、安定板１８が配置されている。ステープル引抜き工具１０の先端は分岐して、わに口状の開口２３を形成し、開口２３の収斂部２１でステープルを拘束する機能を有する拘束部２２を形成するための外れ止め２０が配置されている。【選択図】図１
2006198714.tif 000002
【特許請求の範囲】
【請求項１】
金梃子状のステープル引抜き工具であって、
工具の先端が分岐して、わに口状の開口を形成し、開口の収斂部でステープルを拘束する拘束部を有することを特徴とするステープル引抜き工具。
【発明の詳細な説明】
【技術分野】
【０００１】
本発明は、ステープル引抜き工具に係り、特に金梃子状のステープル引抜き工具に関する。
【背景技術】
【０００２】
段ボール箱等を梱包するために、ステープルが、一般的に使用されている。従来、段ボール箱等を開梱や解体するために、ペンチ等を使用してステープルを外している。段ボール箱等からステープルを引抜く際には、強い力が必要なので、図６に示すように、ラジオペンチ２８に支点となる枕３０を取り付け、梃子の原理を利用した工具が使用されている（例えば、特許文献１参照。）。
【０００３】
【特許文献１】特開２００１−１９８８５２号公報
【発明の開示】
【発明が解決しようとする課題】
【０００４】
ペンチ等に支点となる冶具を取り付け、梃子の原理を利用した工具等を使用した場合には、ペンチ等の先端では、ステープルを掴みづらいという問題がある。また、段ボール箱等からステープルを引抜く際に、ステープルがペンチ等から外れてしまう可能性がある。そこで、本発明の目的は、容易にステープルを引抜くことができるステープル引抜き工具を提供することである。
【課題を解決するための手段】
【０００５】
本発明に係るステープル引抜き工具は、金梃子状のステープル引抜き工具であって、工具の先端が分岐して、わに口状の開口を形成し、開口の収斂部でステープルを拘束する拘束部を有することを特徴とする。
【発明の効果】
【０００６】
本発明に係るステープル引抜き工具は、工具の先端が分岐して、わに口状の開口を形成し、開口の収斂部でステープルを拘束する拘束部を有するので、段ボール箱等からステープルを容易に引抜くことができる。
【発明を実施するための最良の形態】
【０００７】
以下に、図面を用いて本発明に係る実施の形態につき、詳細に説明する。図１は、本発明に係るステープル引抜き工具１０の構成を示す図である。本発明に係るステープル引抜き工具１０は、つかみ部１２、当て部１４、及び先端部１６を含んで構成される。そして、ステープル引抜き工具１０の先端部１６には、外れ止め２０が、当て部１４には安定板１８が、それぞれ配置されている。
【０００８】
つかみ部１２は梃子の力点としての機能を有し、当て部１４は、支点としての機能を有し、先端部１６は作用点としての機能を有する。金梃子状のステープル引抜き工具１０は、つかみ部１２、当て部１４及び先端部１６が、通常一体となって成形される。但し、必ずしも一体である必要はなく、例えば、つかみ部１２と当て部１４や、当て部１４と先端部１６がボルト等で締結されていてもよいし、適当な固着材で固着されていてもよい。また、１本の棒材又はパイプ等を図１に示す形状に成形して用いてもよい。ステープル引抜き工具１０は、梃子の原理を利用しているため、つかみ部１２と当て部１４との距離は、当て部１４と先端部１６との距離より長くなっている。つかみ部１２、当て部１４及び先端部１６は、一般的には金属材料が使用されるが、セラミックスのような無機材料であってもよいし、合成樹脂等の材料を使用してもよい。
【０００９】
ステープル引抜き工具１０の当て部１４には、ステープル引抜き工具１０を安定して支持するために、安定板１８が配置されている。安定板１８は、横方向に幅の広い部材であり、金属材料や、セラミックスのような無機材料であってもよいし、合成樹脂等の材料を使用してもよい。安定板１８は、つかみ部１２、当て部１４及び先端部１６と一体として成形してもよいし、これらとは別に取り付けてもよい。別に取り付ける場合には、例えば、溶接、接着または締結等により取り付けることができる。
【００１０】
ステープル引抜き工具１０の先端部には、わに口状の開口２３を形成し、開口２３の収斂部２１でステープルを拘束する機能を有する拘束部２２を形成するための外れ止め２０が配置されている。わに口状の開口２３の大きさは、少なくともステープルを挟める大きさであればよい。外れ止め２０は、金属材料や、セラミックスのような無機材料であってもよいし、合成樹脂等の材料を使用してもよい。外れ止め２０は、つかみ部１２、当て部１４及び先端部１６と一体として、成形してもよいし、これらとは別に取り付けてもよい。別に取り付ける場合には、例えば、溶接、接着または締結等により取り付けることができる。
【００１１】
つぎに、上記構成の作用について説明する。図２から図５は、ステープル引抜き工具１０の動作を示した図である。図２ａから図５ａは、ステープル引抜き工具１０の先端部１６と、外れ止め２０と、ステープル２４との位置関係を示した図である。
【００１２】
まず、図２、図２ａに示すように、段ボール箱２６を梱包しているステープル２４に、ステープル引抜き工具１０の先端部１６を引っ掛ける。そして、図３、図３ａに示すように、先端部１６と外れ止め２０との間のわに口状の開口２３に、ステープル２４を食い込ませるように、つかみ部１２を倒す。そうすることで、安定板１８を有する当て部１４を支点として、梃子の原理により、ステープル２４が段ボール箱２６から引き上げられる。
【００１３】
さらに、図４、図４ａに示すように、ステープル２４が、わに口状の開口２３の収斂部２１で拘束されて、ステープル２４の一方が段ボール箱２６より引抜かれるようにつかみ部１２を倒す。このとき、ステープル２４は、ステープル引抜き工具１０の拘束部２２により拘束されているため、ステープル２４がステープル引抜き工具１０から外れにくくなる。
【００１４】
そして、図５、図５ａに示すように、ステープル２４が上方に引っ張られて、段ボール箱２６から完全に引抜かれるようにつかみ部１２を倒す。その際、ステープル２４は、拘束部２２で拘束されているため、ステープル引抜き工具１０から外れにくくなり、安全に段ボール箱２６からステープル２４を引抜くことができる。
【００１５】
本実施例では、段ボール箱２６を梱包しているステープル２４について説明したが、ステープル２４で梱包されるものは、木やプラスチック等でもよく、段ボール箱２６に限られない。また、ステープル引抜き工具１０は、わに口状の開口２３を形成し、開口２３の収斂部２１でステープル２４を拘束する拘束部２２を有しているので、ペンチ等で挟むのが難しい大きいサイズのステープル２４についても容易に引抜くことができる。
【図面の簡単な説明】
【００１６】
【図１】本発明に係る実施の形態のステープル引抜き工具の構成を示した図である。
【図２】本発明に係る実施の形態のステープル引抜き工具の動作を示した図である。
【図２ａ】本発明に係る実施の形態のステープル引抜き工具の先端部と、外れ止めと、ステープルとの位置関係を示した図である。
【図３】本発明に係る実施の形態のステープル引抜き工具の動作を示した図である。
【図３ａ】本発明に係る実施の形態のステープル引抜き工具の先端部と、外れ止めと、ステープルの位置関係を示した図である。
【図４】本発明に係る実施の形態のステープル引抜き工具の動作を示した図である。
【図４ａ】本発明に係る実施の形態のステープル引抜き工具の先端部と、外れ止めと、ステープルの位置関係を示した図である。
【図５】本発明に係る実施の形態のステープル引抜き工具の動作を示した図である。
【図５ａ】本発明に係る実施の形態のステープル引抜き工具の先端部と、外れ止めと、ステープルの位置関係を示した図である。
【図６】従来のステープル引抜き工具を示した図である。
【符号の説明】
【００１７】
１０  ステープル引抜き工具、１２  つかみ部、１４  当て部、１６  先端部、１８  安定板、２０  外れ止め、２１  収斂部、２２  拘束部、２３  開口、２４  ステープル、２６  段ボール箱、２８  ラジオペンチ、３０  枕。
【図１】
2006198714.tif 000003
【図２】
2006198714.tif 000004
【図２ａ】
2006198714.tif 000005
【図３】
2006198714.tif 000006
【図３ａ】
2006198714.tif 000007
【図４】
2006198714.tif 000008
【図４ａ】
2006198714.tif 000009
【図５】
2006198714.tif 000010
【図５ａ】
2006198714.tif 000011
【図６】
2006198714.tif 000012